(57)【要約】【課題】災害時の避難所で使用され、組立、解体、再利用が容易で安価な紙製の避難所用間仕切りを提供する。【解決手段】部屋Ｒの四隅のそれぞれを形成する隅部材２と、隣接する隅部材２，２同士を連結し、部屋Ｒの奥壁ｒおよび両側壁ｓからなる３壁の各中央部分を形成する継ぎ板４とを備え、部屋Ｒの前壁ｆに出入り口５が設けられ、隅部材２は、係合溝８を有する一対のベース板３が係合溝８を介して平面視で十字状に組み合わされている。【選択図】図１
2014074296.tif 000002
【特許請求の範囲】
【請求項１】
部屋の四隅のそれぞれを形成する隅部材と、隣接する隅部材同士を連結し、部屋の奥壁および両側壁からなる３壁の各中央部分を形成する継ぎ板とを備え、
部屋の前壁に出入り口が設けられ、
前記隅部材は、係合溝を有する一対のベース板が前記係合溝を介して平面視で十字状に組み合わされてなる紙製の避難所用間仕切り。
【請求項２】
複数の隣接した部屋を形成する請求項１の間仕切りにおいて、前記隅部材と、前記３壁の少なくとも一つが、隣接する他の部屋の間仕切りとして共用されている紙製の避難所用間仕切り。
【請求項３】
請求項１または２に記載の間仕切りにおいて、前記出入り口を開閉するスライド式の扉を備えた紙製の避難所用間仕切り。
【請求項４】
請求項１から３のいずれか一項に記載の間仕切りにおいて、さらに、前記部屋の下面を形成する複数の床板を備え、少なくとも１枚の床板はその下面に桁材が配置され、床板と桁材とにより、床板の下方に収納空間が形成されている紙製の避難所用間仕切り。
【請求項５】
請求項４の紙製の間仕切りにおいて、前記床板または桁材は波形板の目が上下方向に向いた段ボール材を有する紙製の避難所用間仕切り。
【請求項６】
請求項１から３のいずれか一項に記載の間仕切りにおいて、前記ベース板または継ぎ板は目が主面に直交する方向を向いた段ボール材を有する紙製の避難所用間仕切り。
【請求項７】
請求項１から６のいずれか一項に記載の間仕切りにおいて、前記継ぎ板は隣接する一対の隅部材の間で上下動可能に支持されている紙製の避難所用間仕切り。
【請求項８】
請求項１から７のいずれか一項に記載の間仕切りにおいて、前記ベース板または継ぎ板に、更衣室を形成する更衣室ユニットが連結されている紙製の避難所用間仕切り。
【発明の詳細な説明】
【技術分野】
【０００１】
本発明は、台風、地震、津波等の天変地異により、風水害や火災のような災害が発生した場合に緊急避難的に使用される避難所で用いられる紙製の避難所用間仕切りに関する。
【背景技術】
【０００２】
台風、地震、津波等の天変地異により、風水害や火災のような災害が発生した場合には、近隣の学校の体育館、公民館等の施設が緊急避難的に避難住民の避難所として使われる。このような避難所では、多くの場合、床面に直接あるいは床面上にゴザ、毛布、ビニールシート等を敷き、その上で避難者や避難家族が周りの避難者との間に間仕切りのない状況で避難している。このような状況下でも宿泊を伴わないか、きわめて短期間の避難生活では避難者も我慢できるが、避難生活が長期にわたると、個人のプライバシーが保てないばかりか、充分な休息、安眠が得られない。また、人によっては、いわゆるＰＴＳＤ（心的外傷後ストレス障害）を発症する場合もあった。
【０００３】
このため、最近では、避難者が独自に段ボールやガムテープなどの材料を利用して手作りで簡易な間仕切りを作ったり、避難者自身あるいは自治体が市販の間仕切りを購入し、これを使っている場合もある。なお、避難所等に設置される合成樹脂板を使用した組立式の簡易更衣室（間仕切りではない）として、特許文献１に開示されたものがある。
【先行技術文献】
【特許文献】
【０００４】
【特許文献１】特開平５−２９５９０７号公報
【発明の概要】
【発明が解決しようとする課題】
【０００５】
しかし、前述の間仕切りの場合、その強度が充分でなく、間仕切りスペースに制約があるうえ、通常、上下方向の高さが低いので、周りから間仕切り内の様子が見え、充分なプライバシーが保たれなかったり、組立・解体に時間がかかったり、高価であった等の不具合が多かった。
【０００６】
本発明の目的は、組立、解体、再利用が容易に行え、不要時の保管スペースも極力抑えることができ、かつ安価な紙製の避難所用間仕切りを提供することにある。
【課題を解決するための手段】
【０００７】
前記目的を達成するために、本発明にかかる紙製の避難所用間仕切りは、部屋の四隅のそれぞれを形成する隅部材と、隣接する隅部材同士を連結し、部屋の奥壁および両側壁からなる３壁の各中央部分を形成する継ぎ板とを備え、部屋の前壁に出入り口が設けられ、前記隅部材は、係合溝を有する一対のベース板が前記係合溝を介して平面視で十字状に組み合わされてなる。
【０００８】
この構成によれば、部屋の四隅を形成する隅部材が、一対のベース板を平面視で十字状に組み合わされたものであるから、倒れにくく安定性に優れているので、隣接する隅部材同士を継ぎ板で連結した間仕切りは、人が寄りかかった程度では倒れない安定性を持つ。しかも、隅部材は、係合溝を有する一対のベース板が前記係合溝を介して組み合わされているので、別途の係合具が不要になるとともに、組立が容易である。また、構成部材であるベース板と継ぎ板は紙製であるので、安価なうえ、軽量で取り扱いがしやすく、その組立、解体、再利用が容易であり、不要時の保管スペースも少なくてすむ。さらに、隅部材同士を連結する継ぎ板の長さを変えるだけで、部屋の大きさを自由に変更できる。
【０００９】
本発明にかかる間仕切りにおいて、前記隅部材と、前記３壁の少なくとも一つが、隣接する他の部屋の間仕切りとして共用されている。このような共用により、他の部屋を増設する際の部品点数を削減できる。
【００１０】
本発明にかかる間仕切りにおいて、前記出入り口を開閉するスライド式の扉を備えているのが好ましい。この構成の場合、開閉するスライド式の扉があるので、必要に応じてこの扉を閉めておくことで、プライバシーが一層保たれる。また、この扉を閉めておくことで寒冷期の防寒性が向上し、適度に開け放つことで夏季の通風性が向上する。
【００１１】
本発明にかかる間仕切りにおいて、さらに、前記部屋の下面を形成する複数の床板を備え、少なくとも１枚の床板はその下面に桁材が配置され、床板と桁材とにより、床板の下方に収納空間が形成されているのが好ましい。この構成の場合、桁材が配置された床板と桁材が配置されてない床板とで段差ができ、桁材が配置されて高くなった床板の上面を腰掛としても利用できるので、利便性および快適性が向上し、床板の下方に形成された収納空間は、物置としても利用できて使い勝手がよい。
【００１２】
本発明にかかる間仕切りにおいて、前記床板または桁材は波形板の目が上下方向に向いた段ボール材を有するのが好ましい。この構成の場合、波形板の目が上下方向に向いた段ボール材は波形板の目が水平方向に向いた段ボール材に比べて格段に対圧縮性が高いので、床板上に人が寝たり座ったり、歩いたりしても床板またはこれを支える桁材は変形しにくく、長寿命化が得られる。
【００１３】
本発明にかかる間仕切りにおいて、前記ベース板または継ぎ板は波形板の目が主面に直交する方向を向いた段ボールを有するのが好ましい。この構成の場合も、部屋の壁面を構成する前記ベース板または継ぎ板は、主面に直交する方向の外力に対して強靭で剛性があり、部屋内外から外力が加わっても屈曲または破損するのが抑制される。
【００１４】
本発明にかかる間仕切りにおいて、前記継ぎ板は隣接する一対の隅部材の間で上下動可能に支持されているのが好ましい。この構成の場合、継ぎ板を少し上方にずらして継ぎ板の下方に隙間を形成することで、風通しをよくすることができる。
【００１５】
本発明にかかる間仕切りにおいて、前記ベース板または継ぎ板に、更衣室を形成する更衣室ユニットが連結されていることが好ましい。この構成の場合、更衣室ユニットがあることで、同居家族であってもプライバシーが重んじられる着替えを安心して行なうことができる。
【発明の効果】
【００１６】
本発明の間仕切りは、人が寄りかかっても倒れない安定性を有する。また、紙製であるので、安価なうえ、軽量で取り扱いがしやすく、組立、解体、再利用が容易であり、不要時の保管スペースも少なくてすむ。さらに、隅部材同士を連結する継ぎ板の長さを変えるだけで、部屋の大きさを自由に変更できる。
【図面の簡単な説明】
【００１７】
【図１】本発明の第１実施形態にかかる紙製の避難所用間仕切りの斜視図である。
【図２】同紙製の避難所用間仕切りの平面図である。
【図３】隅部材の組立前後を示す斜視図である。
【図４】継ぎ板の斜視図である。
【図５】図２のＶ―Ｖ線断面図である。
【図６】図２のＶＩ−ＶＩ線断面図である。
【図７】桁材の斜視図である。
【図８】本発明の第２実施形態にかかる紙製の避難所用間仕切りの平面図である。
【図９】同図の要部拡大平面図である。
【図１０】図９のＸ−Ｘ線断面図である。
【図１１】図９の正面図である。
【図１２】本発明の第３実施形態にかかる更衣室ユニットを併設した紙製の避難所用間仕切りの平面図である。
【図１３】図１２の更衣室ユニット側から見た正面図である。
【図１４】図１２の側面図である。
【発明を実施するための形態】
【００１８】
以下、本発明の第１実施形態について図面を参照しながら詳述する。図１は本発明にかかる紙製の避難所用間仕切り（以下、単に「間仕切り」という。）を示す。同図に示すように、この間仕切り１は上部が開放されて上から間仕切り１の全体が見渡せるように、その高さＨは任意であるが、平均的な大人の目線より若干低い１２５〜１３５ｃｍ位が好ましい。この例では、高さＨが１３０ｃｍであり、単一または複数の部屋Ｒを形成する。
【００１９】
図２は単一の部屋Ｒを形成する間仕切り１の平面図である。間仕切り１は部屋Ｒの四隅を形成する４つの隅部材２と、隣接する隅部材２，２同士を連結し、部屋Ｒの奥壁ｒおよび両側壁ｓ，ｓからなる３壁の各中央部分を形成する継ぎ板４とを備え、前側の２つの隅部材２の一部により形成される前壁ｆに出入り口５が設けられている。出入り口５はスライド式の扉６により開閉される。但し、扉６はなくてもよい。奥壁ｒの継ぎ板４と側壁ｓの継ぎ板４は同一寸法である。
【００２０】
前記隅部材２は、一対のベース板３，３が平面視で十字状に組み合わされてなる。詳しくは、図３に示すように、係合溝８を有する一対のベース板３，３が前記係合溝８を介して平面視で十字状に組み合わされることで、隅部材２が形成される。この場合、一対のベース板３，３は同一寸法の部材であり、したがって、前記３壁ｒ，ｓ，ｓを形成する継ぎ板４と合わせて、２種類の部材３，４により、扉６を除く間仕切り１が構成されている。
【００２１】
また、前記継ぎ板４は、図４に示すように、その両側部に、所定幅の紙製の止め板４０，４０が例えば接着により接合されている。この止め板４０，４０の間に溝４２が形成されており、この溝４２に、前記隅部材２のベース板３の側端部がはまり込むことで、隣接する隅部材２が継ぎ板４を介して連結される。前記ベース板３，３および継ぎ板４はすべて紙製で、具体的には、波形板５１とライナー５２とを交互に重合してなる紙製の段ボール材５０と、表裏面を形成する主面に接着のような手段で接合された紙製のシート６０とでなる。ベース板３と継ぎ板４の一方は、波形板の目が主面に沿った方向に向いた一般的な段ボールで形成してもよい。
【００２２】
図２に示すように、部屋Ｒ内の奥壁側に高い四角形の床板９を、前壁側に低い床板１０を備えている。前記高い床板９は図５に示すように、その下面に桁材１１を備え、床板９と桁材１１とにより、床板９の下方に物品などを収納する収納空間１３が形成されている。高い床板９と床板１０との間には段差が生じているので、椅子代わりに床板９に腰をかけられるようになっており、低い床板１０は畳のように座れるようになっている。これらの床板９，１０もやはり図２に示すように、波形板５１の目が上下方向に向いた段ボール材５０の表裏面にシート６０を貼り付けたものを用いるのがよい。また、桁材１１としては、図７に示すように、波形板５１の目が上下方向に向いた、段ボール５０を左右方向Ｘ、つまり、床板９の長手方向に多数積層したものが使われる。床板９，１０と桁材１１の一方は、波形板の目が水平方向を向いた一般的な段ボールで形成してもよく、床板９，１０の強度はある程度維持できる。
【００２３】
図８は本発明の第２実施形態を示す平面図であり、多数の部屋Ｒが連結されたものを示し、図９は図８の要部拡大平面図を示す。図８に示すように、例えば、図中の手前の５つの部屋Ｒは一部の隅部材２の寸法が異なる以外は第１実施形態に示したものである。
図中の奥側の部屋Ｒ１における側壁ｓの継ぎ板４Ａは、下側の部屋Ｒにおける継ぎ板４に比べて前後方向の寸法が長くなっており、これにより、部屋Ｒ１のスペースを広くとっている。この場合、オプションである扉６を除いて、板の種類は、寸法の異なる２種類のベース板３，３と、継ぎ板４，４Ａの合計４種類である。
【００２４】
左右に隣接する部屋Ｒ，Ｒと部屋Ｒ１，Ｒ１はそれぞれ、隅部材２と側壁ｓを共用しており、前後に隣接する部屋Ｒ，Ｒ１は隅部材２の一部と奥壁ｒを共用している。避難者家族数が多い場合には、隣接する部屋Ｒ，Ｒ間の継ぎ板４あるいは部屋Ｒ１，Ｒ１間の４Ａを取り外し、続き部屋とすることもできる。図示の場合、合計１０個の部屋が構築されているが、隅部材２の共用により制限なしに増設可能である。
【００２５】
図９に示すように、継ぎ板４はその両側部に接合された止め板４０，４０の間の溝４２を隅部材２に嵌め込むように、上方から隅部材２，２の間に挿入されることにより、隅部材２，２間に連結される。止め板４０と隅部材２は摩擦抵抗により連結されている。したがって、図１０に二点鎖線で示すように、継ぎ板４を上方にずらせた位置でも、止め板４０の摩擦抵抗により保持することができる。これによって、継ぎ板４の下方に風通しの開口７０を形成できる。
【００２６】
図１１に示すように、前壁ｆの左右側部を形成する隅部材２，２の前面に横断面Ｕ字状のガイド体（レール）２０が上下一対取り付けられている。これら上下のガイド体２０，２０により、扉６がガイド対２０に沿って左右方向Ｘにスライド可能に支持されて出入り口５を開閉する。図１では扉６が開放されている。
【００２７】
図１２は本発明の第３実施形態を示す。同図に示すように、この第３実施形態は、避難所間仕切り１の継ぎ板４に、紙製の連結体１６を介して段ボール材で形成された更衣室ユニット１７を連結し、２つの更衣室ＤＲを形成したものである。更衣室ＤＲの上方は開放されている。前記更衣室ユニット１７の前面には開閉するスライド式の扉１８が備えられている。
【００２８】
正面図である図１３および側面図である図１４から明らかなように、この更衣室ＤＲの高さは、間仕切り１に比べて高くなっており、更衣室ＤＲ内部の様子が外部から見えない程度の高さを有している。また、更衣室ユニット１７の前面には、上下一対の横断面Ｕ字状のガイド２０Ａが備えられており、前記扉１８がガイド２０Ａにはまり込んでスライドする。
【００２９】
図１４に示すように、継ぎ板４に更衣室ユニット１７を連結する連結体１６は横断面Ｕ字状で、継ぎ板４の上端に嵌め込まれ、更衣室ユニット１７の奥壁に接着剤などで固定されている。
【００３０】
上記構成において、図２に示す部屋Ｒの四隅を形成する隅部材２が、図３の係合溝８を有する一対のベース板３を平面視で十字状に組み合せたものであり、図２の出入り口５となる部分を除いて隣接する隅部材２，２同士を部屋の奥壁ｒおよび両側壁ｓ、ｓからなる３壁の各中央部分を形成する継ぎ板４で連結した構造であるので、姿勢が安定しているので、隣接する隅部材２，２同士を継ぎ板で連結した間仕切り１の全体は、人が寄りかかった程度では倒れない壊れない安定性を持つ。しかも、隅部材２，２は、係合溝８を有する一対のベース板３が前記係合溝８を介して組み合わされているので、別途の係合具が不要になるとともに、組立が容易である。また、構成部材であるベース板３と継ぎ板４は紙製であるので、安価なうえ、軽量で取り扱いがしやすく、その組立、解体、再利用が容易であり、不要時の保管スペースも少なくてすむ。さらに、隅部材２，２同士を連結する継ぎ板４の長さを変えるだけで、部屋の大きさを自由に変更できる。
【００３１】
図８および図９に示すように、、前記隅部材２と、前記出入り口５と、前記３壁ｒ、ｓ、ｓの少なくとも一つが、隣接する他の部屋Ｒ，Ｒ１の間仕切りとして共用できるので、他の部屋Ｒ，Ｒ１を増設する際の部品点数を削減できる。
【００３２】
また、図１の出入り口５を開閉するスライド式の扉６があるので、必要に応じてこの扉６を閉めておくことで、プライバシーが一層保たれる。また、この扉６を閉めておくことで寒冷期の防寒性が向上し、適度に開け放つことで夏季の通風性が向上する
【００３３】
さらに、図３〜図５に示すように、部屋Ｒの下面を形成する複数の床板９，１０を備え、少なくとも１枚の床板９はその下面に桁材１１が配置され、床板９と桁材１１とにより床板９の下方に収納空間１３が形成されているので、前記桁材１１が配置された床板９と桁材１１が配置されてない床板１０とで段差ができ、高くなった床板９の上面を腰掛としても利用できるので、利便性および快適性が向上する。しかも、前記収納空間１３は物置としても利用できて使い勝手がよい。
【００３４】
また、床板９，１０と桁材１１の少なくとも一方は、図７に示すような波形板５１の目が上下方向に向いた段ボール材を用いているので、対圧縮性が高く、床板上を人が座ったり、歩いたりしても変形しにくく、長寿命化が得られる。
【００３５】
さらに、図３のベース板３または図４の継ぎ板４は波形板の目が主面に直交する方向を向いた段ボールを用いているので、部屋Ｒ，Ｒ１の壁面を構成する前記ベース板３または継ぎ板４は、主面に直交する方向の外力に対して強靭で剛性があり、部屋内外から外力が加わっても屈曲または破損するのが抑制される
【００３６】
また、継ぎ板４，４Ａは隣接する一対の隅部材２，２の間で上下動可能に支持されているので、継ぎ板４，４Ａを少し上方にずらし、継ぎ板４，４Ａの下方に隙間を形成することで風通しをよくすることができる。
【００３７】
また、ベース板３または継ぎ板４に、図１２に示すように、更衣室ＤＲを形成する更衣室ユニット１７が連結しているので、同居家族であってもプライバシーが重んじられる着替えを安心してすることができる。
【００３８】
以上のとおり、図面を参照しながら好適な実施形態を説明したが、当業者であれば、本件明細書を見て、自明な範囲内で種々の変更および修正を容易に想定するであろう。したがって、そのような変更および修正は、添付の特許請求の範囲から定まる本発明の範囲内のものと解釈される。
【符号の説明】
【００３９】
１…紙製の避難所用間仕切り
２…隅部材
３…ベース板
４…継ぎ板
５…出入り口
６…扉
８…係合溝
９，１０…床板
１１…桁材
１３…収納空間
１７…更衣室ユニット
２０，２０Ａ…ガイド体
５０  段ボール
５１  波形板
ｆ，ｒ，ｓ…前壁、奥壁、側壁
ＤＲ…更衣室
【図１】
2014074296.tif 000003
【図２】
2014074296.tif 000004
【図３】
2014074296.tif 000005
【図４】
2014074296.tif 000006
【図５】
2014074296.tif 000007
【図６】
2014074296.tif 000008
【図７】
2014074296.tif 000009
【図８】
2014074296.tif 000010
【図９】
2014074296.tif 000011
【図１０】
2014074296.tif 000012
【図１１】
2014074296.tif 000013
【図１２】
2014074296.tif 000014
【図１３】
2014074296.tif 000015
【図１４】
2014074296.tif 000016